(57)【要約】      （修正有）【課題】玩具銃に用いられるレシーバー組立部材を提供する。【解決手段】ボルトキャリア１０と、レシーバー２０と、弾倉４０と、を備える。ボルトキャリアは玩具銃の可動要素に連結するために用いられる。ボルトキャリアは弾丸保持構造１１及びガイド部１３を含む。弾丸保持構造はボルトキャリアの何れか一端に位置し、ガイド部は弾丸保持構造の一側に隣接している。レシーバーはボルトキャリアの外側に覆設し、且つ玩具銃８に固定される。レシーバーは弾丸装填チャネル及び弾丸受け溝を具備する。弾丸装填チャネルはガイド部に隣接している。弾丸受け溝は弾丸保持構造に対応している。弾倉は弾丸を収容するために用いられ、且つ弾丸装填チャネルに設置されていると共に弾丸受け溝に連通している。ボルトキャリアが玩具銃の可動要素８１により駆動されて弾倉の方向に移動すると、弾丸がガイド部により押されて弾丸受け溝に移動し、且つ弾丸保持構造の一端が弾丸を挟持する。【選択図】図１
0003233089.tif 000002
【実用新案登録請求の範囲】
【請求項１】
環状溝を含む薬莢を挟持するためのボルトキャリアであって、
前記ボルトキャリアの何れか一端に位置し、前記薬莢を挟持するために用いられ、前記環状溝に掛合するフックを含む弾丸保持構造であって、前記フックが前記弾丸保持構造に対して外に向けて偏移することで前記薬莢が前記弾丸保持構造から脱離する弾丸保持構造を備えていることを特徴とするボルトキャリア。
【請求項２】
前記ボルトキャリアは前記フック及び前記ボルトキャリアに連結されているばねを備え、前記フックが前記弾丸保持構造に対して外に向けて偏移した後、前記ばねが前記フックに回復力提供することを特徴とする請求項１に記載のボルトキャリア。
【請求項３】
前記ボルトキャリアはレシーバー及び弾倉に使用され、前記弾倉は前記レシーバーに連結され、前記レシーバーは前記ボルトキャリアの外側に覆設するために用いられ、且つ前記レシーバーは弾丸装填チャネル及び弾丸受け溝を備え、前記弾倉は前記薬莢を収容するために用いられていると共に前記弾丸装填チャネルに設置され、且つ前記弾丸受け溝に連通し、前記ボルトキャリアは前記レシーバーに対して移動し、前記ボルトキャリアは、
前記弾丸保持構造の一側に隣接しているガイド部であって、前記ボルトキャリアが前記弾倉の方向に移動すると、前記ガイド部が前記薬莢を前記弾丸受け溝まで押動し、前記弾丸保持構造が前記薬莢を挟持するガイド部を備えていることを特徴とする請求項１または２に記載のボルトキャリア。
【請求項４】
前記レシーバーは前記弾丸装填チャネルに隣接していると共に前記弾丸保持構造の移動経路に位置している排出用凸部を備え、前記弾丸保持構造が前記薬莢を挟持して前記弾倉から離れる方向に移動すると、前記排出用凸部が前記薬莢に突き当てられ、前記フックを前記弾丸保持構造の外に向けて偏移させると共に前記薬莢を前記弾丸保持構造から脱離させることを特徴とする請求項３に記載のボルトキャリア。
【請求項５】
前記弾丸保持構造は凹部をさらに備え、前記弾丸保持構造が前記排出用凸部を経由すると、前記排出用凸部が前記凹部を貫通すると共に前記薬莢に突き当てられることを特徴とする請求項４に記載のボルトキャリア。
【請求項６】
玩具銃及び複数の弾丸に適用し、前記玩具銃は可動要素及び銃口を有しているレシーバー組立部材であって、
前記可動要素に連結されているボルトキャリアと、
前記ボルトキャリアの外側に覆設するために用いられ、且つ前記玩具銃に固定されているレシーバーと、
弾倉と、を備え、
前記ボルトキャリアは、
前記ボルトキャリアの何れか一端に位置している弾丸保持構造と、
前記弾丸保持構造の一側に隣接しているガイド部と、を含み、
前記レシーバーは、
前記ガイド部に隣接している弾丸装填チャネルと、
前記弾丸保持構造に対応している弾丸受け溝と、を具備し、
前記弾倉はこれら前記弾丸を収容するために用いられていると共に前記弾丸装填チャネルに設置され、且つ前記弾丸受け溝に連通し、前記ボルトキャリアが前記玩具銃の前記可動要素により駆動されて前記弾倉の方向に移動すると、これら前記弾丸のうちの１つが前記ガイド部により押されて前記弾丸受け溝まで移動し、且つ前記弾丸保持構造の一端が前記弾丸を挟持することを特徴とするレシーバー組立部材。
【請求項７】
前記弾丸装填チャネルは円弧面を有し、前記円弧面の上縁は前記弾丸受け溝に連接され、これら前記弾丸のうちの１つは前記円弧面の下縁に位置し、前記弾丸が前記ガイド部により押されて前記円弧面の前記下縁から前記上縁に移動すると、前記弾丸が傾斜角度から水平角度に回復することを特徴とする請求項６に記載のレシーバー組立部材。
【請求項８】
前記ボルトキャリアは一端が前記銃口に連通し、他端が前記弾丸保持構造に内設されている通風ダクトを備えていることを特徴とする請求項６または７に記載のレシーバー組立部材。
【請求項９】
前記レシーバーは前記弾丸受け溝に連通しているバレルをさらに備えていることを特徴とする請求項６乃至８の何れか１項に記載のレシーバー組立部材。
【請求項１０】
これら前記各弾丸は薬莢を備え、前記薬莢は環状溝を有し、前記弾丸保持構造はフック及びばねを含み、前記ばねは前記フック及び前記ボルトキャリアに連結され、これら前記弾丸のうちの１つが前記ガイド部により押されて前記フックに接触すると、前記フックの一端が内に向けて前記薬莢の前記環状溝に掛合することを特徴とする請求項６乃至９の何れか１項に記載のレシーバー組立部材。
【請求項１１】
前記弾丸保持構造が前記薬莢を挟持して前記弾倉から離れる方向に移動すると、前記フックが前記弾丸保持構造に対して外に向けて偏移し、前記薬莢が前記弾丸保持構造から脱離することを特徴とする請求項１０に記載のレシーバー組立部材。
【請求項１２】
前記フックが前記弾丸保持構造に対して外に向けて偏移した後、前記ばねが前記フックに回復力を提供することを特徴とする請求項１１に記載のレシーバー組立部材。
【請求項１３】
前記レシーバーは前記弾丸装填チャネルに隣接していると共に前記弾丸保持構造の移動経路に位置している排出用凸部を備え、前記弾丸保持構造が前記薬莢を挟持して前記弾倉から離れる方向に移動すると、前記排出用凸部が前記薬莢に突き当てられ、前記フックが前記弾丸保持構造に対して外に向けて偏移すると共に前記薬莢が前記弾丸保持構造から脱離することを特徴とする請求項１１または１２に記載のレシーバー組立部材。
【請求項１４】
前記弾丸保持構造は凹部をさらに備え、前記弾丸保持構造が前記排出用凸部を経由すると、前記排出用凸部が前記凹部を貫通すると共に前記薬莢に突き当てられることを特徴とする請求項１３に記載のレシーバー組立部材。
【請求項１５】
前記レシーバーは前記レシーバーに移動可能に設置されていると共に前記ボルトキャリアに連結されているハンドルをさらに備えていることを特徴とする請求項６乃至１４の何れか１項に記載のレシーバー組立部材。
【請求項１６】
前記レシーバーは中空チャンネルをさらに備え、前記ハンドルは前記中空チャンネル内を移動することを特徴とする請求項１５に記載のレシーバー組立部材。
【請求項１７】
前記レシーバー及び前記玩具銃にそれぞれ係合し、前記レシーバーを前記玩具銃に固定するため少なくとも１つのロック部材をさらに備えていることを特徴とする請求項６乃至１６の何れか１項に記載のレシーバー組立部材。
【請求項１８】
前記可動要素はスライドであり、前記ボルトキャリアは前記スライドスリーブの外側に設置されていることを特徴とする請求項６乃至１７の何れか１項に記載のレシーバー組立部材。
【請求項１９】
前記可動要素はピストンであり、前記ボルトキャリアは前記ピストンに連結されている接合部を有していることを特徴とする請求項６乃至１８の何れか１項に記載のレシーバー組立部材。
【考案の詳細な説明】
【技術分野】
【０００１】
本考案は、レシーバー組立部材に関し、更に詳しくは、玩具銃に用いられるレシーバー組立部材に関する。
【背景技術】
【０００２】
現代は生活リズムが慌ただしく、ストレスを抱えている者も少なくない。このため、各種のレジャー活動を通じてストレスを発散する必要がある。また、過激で刺激的な活動を通じてストレスを発散する者も少なくない。例えば、サバイバルゲームの愛好家も多く、ＢＢ弾やペイント弾を使用したモデルガン、エアガン、或いは電動ガン等の玩具銃を用いて射撃運動を行い、ストレス発散効果を達成している。
【０００３】
射撃ゲーム（或いはサバイバルゲーム）の愛好家は玩具銃を選択する際に、より本物に近いものを選択する。銃本体が大きい（ライフル等）玩具銃を選択する場合、ライフルの外形をした玩具銃を選択する。
【考案の概要】
【考案が解決しようとする課題】
【０００４】
しかしながら、全ての射撃ゲームの愛好家が各種の玩具銃に耐えられるわけではない。このため、一般的な玩具の拳銃（例えば、エアガンや電動ガン）のモジュールや組立部材に適用可能にすることが玩具銃の製造業者及び射撃ゲームの愛好家にとっての目標となっていた。
【０００５】
そこで、本考案者は上記の欠点が改善可能と考え、鋭意検討を重ねた結果、合理的設計で上記の課題を効果的に改善する本考案の提案に至った。
【０００６】
本考案は前記技術的課題に鑑みて開発されたものであり、玩具銃に用いられるレシーバー組立部材を提供することを目的とする。つまり、本考案はボルトキャリア及びレシーバーを有している構造及び作動により、従来のものでは玩具銃のモジュールや組立部材に適用不能であるという問題を解決する。
【課題を解決するための手段】
【０００７】
上記課題を解決するために、本考案のある態様のボルトキャリアは、環状溝を含む薬莢を挟持するために用いられ、
前記ボルトキャリアの何れか一端に位置し、前記薬莢を挟持するために用いられ、前記環状溝に掛合するフックを含む弾丸保持構造であって、前記フックが前記弾丸保持構造に対して外に向けて偏移することで前記薬莢が前記弾丸保持構造から脱離する弾丸保持構造を備えている。
【０００８】
前記本考案ボルトキャリアにおいては、ボルトキャリアは  フック及びボルトキャリアに連結されているばねを備えている。フックが弾丸保持構造に対して外に向けて偏移した後、ばねがフックに回復力を提供する。
【０００９】
前記本考案ボルトキャリアにおいては、ボルトキャリアはレシーバー及び弾倉に用いられ、弾倉はレシーバーに連結され、レシーバーはボルトキャリアの外側に覆設するために用いられている。レシーバーは弾丸装填チャネル及び弾丸受け溝を含み、弾倉は薬莢収容するために用いられていると共に弾丸装填チャネルに設置され、且つ弾丸受け溝に連通している。ボルトキャリアはレシーバーに対して移動し、且つ弾丸保持構造の一側に隣接しているガイド部を含む。ボルトキャリアが弾倉の方向に移動すると、ガイド部が薬莢を弾丸受け溝まで押動し、これにより弾丸保持構造が薬莢を挟持する。
【００１０】
前記本考案ボルトキャリアにおいては、レシーバーは弾丸装填チャネルに隣接していると共に弾丸保持構造の移動経路に位置している排出用凸部を備えている。弾丸保持構造が薬莢を挟持して弾倉から離れる方向に移動すると、排出用凸部が薬莢に突き当てられ、フックが弾丸保持構造に対して外に向けて偏移すると共に薬莢が弾丸保持構造から脱離する。
【００１１】
前記本考案ボルトキャリアにおいては、弾丸保持構造は凹部をさらに備えている。弾丸保持構造が排出用凸部を経由すると、排出用凸部が凹部を貫通すると共に薬莢に突き当てられる。
【００１２】
本考案の別の態様は、レシーバー組立部材である。このレシーバー組立部材は、玩具銃及び複数の弾丸に適用し、前記玩具銃は可動要素及び銃口を有しているレシーバー組立部材であって、
前記可動要素に連結されているボルトキャリアと、
前記ボルトキャリアの外側に覆設するために用いられ、且つ前記玩具銃に固定されているレシーバーと、
弾倉と、を備え、
前記ボルトキャリアは、
前記ボルトキャリアの何れか一端に位置している弾丸保持構造と、
前記弾丸保持構造の一側に隣接しているガイド部と、を含み、
前記レシーバーは、
前記ガイド部に隣接している弾丸装填チャネルと、
前記弾丸保持構造に対応している弾丸受け溝と、を具備し、
前記弾倉はこれら前記弾丸を収容するために用いられていると共に前記弾丸装填チャネルに設置され、且つ前記弾丸受け溝に連通し、前記ボルトキャリアが前記玩具銃の前記可動要素により駆動されて前記弾倉の方向に移動すると、これら前記弾丸のうちの１つが前記ガイド部により押されて前記弾丸受け溝まで移動し、且つ前記弾丸保持構造の一端が前記弾丸を挟持する。
【００１３】
前記本考案のレシーバー組立部材においては、弾丸装填チャネルは円弧面を有している。円弧面の上縁は弾丸受け溝に連接され、これら前記弾丸のうちの１つは円弧面の下縁に位置している。弾丸がガイド部により押されて円弧面の下縁から上縁に移動すると、弾丸が傾斜角度から水平角度に回復する。
【００１４】
前記本考案のレシーバー組立部材においては、ボルトキャリアは通風ダクトを備えている。通風ダクトの一端は銃口に連通し、他端は弾丸保持構造に内設されている。
【００１５】
前記本考案のレシーバー組立部材においては、レシーバーは弾丸受け溝に連通しているバレルをさらに備えている。
【００１６】
前記本考案のレシーバー組立部材においては、各弾丸は環状溝を有している薬莢を備えている。弾丸保持構造はフック及びばねを含み、ばねはフック及びボルトキャリアに連結され、これら前記弾丸のうちの１つがガイド部により押されてフックに接触すると、フックの一端が内に向けて薬莢の環状溝に掛合する。
【００１７】
前記本考案のレシーバー組立部材においては、弾丸保持構造が薬莢を挟持して弾倉から離れる方向に移動すると、フックが弾丸保持構造に対して外に向けて偏移し、薬莢が弾丸保持構造から脱離する。
【００１８】
前記本考案のレシーバー組立部材においては、フックが弾丸保持構造に対して外に向けて偏移した後、ばねがフックに回復力を提供する。
【００１９】
前記本考案のレシーバー組立部材においては、レシーバーは弾丸装填チャネルに隣接していると共に弾丸保持構造の移動経路に位置している排出用凸部を備えている。弾丸保持構造が薬莢を挟持して弾倉から離れる方向に移動すると、排出用凸部が薬莢に突き当てられ、フックが弾丸保持構造に対して外に向けて偏移すると共に薬莢が弾丸保持構造から脱離する。
【００２０】
前記本考案のレシーバー組立部材においては、弾丸保持構造は凹部をさらに備えている。弾丸保持構造が排出用凸部を経由すると、排出用凸部が凹部を貫通すると共に薬莢に突き当てられる。
【００２１】
前記本考案のレシーバー組立部材においては、レシーバーはレシーバーに移動可能に設置されていると共にボルトキャリアに連結されているハンドルをさらに備えている。
【００２２】
前記本考案のレシーバー組立部材においては、レシーバーは中空チャンネルをさらに備え、ハンドルは中空チャンネル内で移動する。
【００２３】
前記本考案のレシーバー組立部材においては、レシーバー組立部材はレシーバー及び玩具銃にそれぞれ係合してレシーバーを玩具銃に固定させるための少なくとも１つのロック部材をさらに備えている。
【００２４】
前記本考案のレシーバー組立部材においては、可動要素はスライドであり、ボルトキャリアはスライドの外側に設置されている。
【００２５】
前記本考案のレシーバー組立部材においては、可動要素はピストンであり、ボルトキャリアはピストンに連結されている接合部を有している。
【考案の効果】
【００２６】
このように、本考案によれば、次のような効果がある。
本考案のレシーバー組立部材はボルトキャリア及びレシーバーを備え、レシーバーはボルトキャリアの外側に覆設されていると共に玩具銃に固定されている。ボルトキャリアは玩具銃の可動要素（スライドまたはピストン）に連結されているため、ボルトキャリアが可動要素の往復運動に従って弾丸を装填し、或いは弾丸を射出する。具体的には、ボルトキャリアが可動要素により駆動されてまず後方に移動した後に前方に移動すると、弾丸が弾丸保持構造のガイド部により弾丸受け溝に向けて押動され、装填動作が完了する。玩具銃を撃つと、内部で発生するガスが弾丸受け溝の方向に排出され、これにより弾丸の射撃動作が完了する。よって、本考案のレシーバー組立部材を玩具銃に適用し、一般的な大型銃本体（例えば、ライフル）に弾丸を装填し、或いは弾丸を射撃する等の動作を行うことができる。
【００２７】
また、本考案のボルトキャリアは弾丸保持構造により薬莢を挟持する。弾丸保持構造のフックが薬莢の環状溝に掛合し、且つ弾丸保持構造に対して外に向けて偏移することで薬莢が弾丸保持構造から脱離し、こうして薬莢を排出する効果を達成している。
【図面の簡単な説明】
【００２８】
【図１】本考案の第１実施形態によるレシーバー組立部材を示す概略分解図である。
【図２Ａ】図１に示すレシーバー組立部材が組み立てられた部分概略断面図である。
【図２Ｂ】図２Ａに示すＡ領域を示す概略拡大図である。
【図３Ａ】図２Ａに示すレシーバー組立部材に弾丸を装填しているときの状態を示す概略図である。
【図３Ｂ】図２Ａに示すレシーバー組立部材に弾丸を装填しているときの状態を示す概略図である。
【図３Ｃ】図３Ｂに示す弾丸保持構造を示す概略拡大図である。
【図４Ａ】図２Ａに示すレシーバー組立部材が弾丸発射及び薬莢排出をしているときの状態を示す概略図である。
【図４Ｂ】図２Ａに示すレシーバー組立部材が弾丸発射及び薬莢排出をしているときの状態を示す概略図である。
【図４Ｃ】図２Ａに示すレシーバー組立部材が弾丸発射及び薬莢排出をしているときの状態を示す概略図である。
【図５Ａ】図４Ｃに示すレシーバー組立部材が薬莢を排出しているときの状態を示す概略拡大図である。
【図５Ｂ】図４Ｃに示すレシーバー組立部材が薬莢を排出しているときの状態を示す概略拡大図である。
【図５Ｃ】図５Ａに示すボルトキャリアの前端、弾丸保持構造、フック及び排出用凸部を示す概略分解図である。
【図５Ｄ】図５Ｃに示す各部材が組み立てられたて薬莢を排出しているときの概略図である。
【図６Ａ】本考案の第２実施形態によるボルトキャリアが玩具銃に適用される部分断面概略図である。
【図６Ｂ】本考案の第２実施形態によるボルトキャリアが玩具銃に適用される部分断面概略図である。
【図７Ａ】本考案の第３実施形態によるボルトキャリアが玩具銃に適用される部分断面概略図である。
【図７Ｂ】本考案の第３実施形態によるボルトキャリアが玩具銃に適用される部分断面概略図である。
【考案を実施するための形態】
【００２９】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００３０】
図１は本考案の第１実施形態によるレシーバー組立部材を示す概略分解図である。図２Ａは図１に示すレシーバー組立部材が組み立てられた部分概略断面図である。図２Ｂは図２Ａに示すＡ領域を示す概略拡大図である。図３Ａと図３Ｂは図２Ａに示すレシーバー組立部材が弾丸が装填されたときの状態を示す概略図である。図３Ｃは図３Ｂに示す弾丸保持構造を示す概略拡大図である。図４Ａ乃至図４Ｃは図２Ａに示すレシーバー組立部材が弾丸発射及び薬莢を排出しているときの状態を示す概略図である。
【００３１】
本実施例に係るレシーバー組立部材（ｒｅｃｅｉｖｅｒ  ａｓｓｅｍｂｌｙ）１は玩具銃８及び複数の弾丸９に適用する。本実施例に係るレシーバー組立部材１はボルトキャリア（ｂｏｌｔ  ｃａｒｒｉｅｒ）１０と、レシーバー（ｒｅｃｅｉｖｅｒ）２０と、少なくとも１つのロック部材３０と、弾倉（ｍａｇａｚｉｎｅ）４０と、を備えている。ボルトキャリア１０、レシーバー２０、及びロック部材３０は玩具銃８の異なる部位に連結され、弾丸９は弾倉４０に収容されている。
【００３２】
本実施例の玩具銃８は可動要素８１及び銃口８２を有している玩具銃でもよい。玩具銃８の種類の違いに基づいて可動要素８１がスライド、ピストン等の往復運動可能な部材でよく、好ましい運動行程は４ｃｍ乃至５ｃｍの間の範囲である。一例を挙げると、一般的なエアガンは往復運動可能なスライドを有し、電動ガンの内部にはピストンを有し、よって、スライド及びピストンはどちらも可動要素８１とすることが可能である。本実施例の玩具銃８はエアガンを例にし、可動要素８１はスライドを例とする。
【００３３】
また、弾倉４０は弾丸９を収容するために用いられている（図２Ａ参照）。即ち、弾丸９をまず弾倉４０に装填し、次いで弾倉４０をレシーバー２０に取り付ける。また、本実施例に係るレシーバー組立部材１はＢＢ弾、ペイント弾、或いはソフト弾等の様々な異なる種類の弾丸９に適用可能である。ここでは、ＢＢ弾は薬莢を有していてもいなくてもよく、本考案にはこれに限定されるものではない。本実施例の弾丸９は薬莢９１を有しているＢＢ弾（以下、充填物９２と称する）を例とし、即ち、各弾丸９が薬莢９１及び充填物９２を備えている（図４Ａ参照）。
【００３４】
本実施例では、ボルトキャリア１０は玩具銃８の可動要素８１（即ち、スライド）に連結するために用いられている。具体的には、ボルトキャリア１０のケースは溝部を有し、可動要素８１（即ち、スライド）を収容し、ボルトキャリア１０を可動要素８１の外側に覆設させている（図２Ａ参照）。ボルトキャリア１０が可動要素８１に覆設され、可動要素８１に連結されることでボルトキャリア１０が可動要素８１により駆動されて往復運動を行う。また、ボルトキャリア１０は弾丸９を挟持するために用いられ、本実施例では弾丸９の薬莢９１を挟持する。
【００３５】
図２Ａ、図４Ａと図４Ｂを併せて参照し、ボルトキャリア１０は弾丸保持構造１１と、通風ダクト１２と、ガイド部１３と、を備えている。ちなみに、図４Ｂ及び図４Ｃに示す弾丸保持構造１１及び通風ダクト１２の箇所は断面の概略図である。弾丸保持構造１１はボルトキャリア１０の何れか一端に位置し、ここでは前端と称する。図４Ｂに示すように、通風ダクト１２の一端は銃口８２に連通し、他端は弾丸保持構造１１に内設されていると共に外界と連通し、ここではボルトキャリア１０の外界と連通している。具体的には、弾丸保持構造１１は中空構造であり、よって、通風ダクト１２は弾丸保持構造１１に挿設され、且つボルトキャリア１０の外界に連通している。また、本実施例の通風ダクト１２は可撓性管体であり、可動要素８１がボルトキャリア１０を駆動して行わせる往復運動に対応する。
【００３６】
レシーバー２０はボルトキャリア１０の外側に覆設するために用いられていると共に玩具銃８に固定されている。レシーバー２０は同様にボルトキャリア１０を収容するための溝部を有している。レシーバー２０の係合機構の設計により、玩具銃８に固定されている。図１と図２Ａに示すように、本実施例は２つのロック部材３０を例とし、１つはフロントロック３１であり、もう１つはリアロック３２であり、玩具銃８の前端及び後端にそれぞれ設置されている。フロントロック３１は玩具銃８を収容するためのバレル及びトリガーガードを収容するための溝部を有し、フロントロック３１は玩具銃８（バレル及びトリガーガード）及びレシーバー２０の中央位置に上から下に係合する。好ましくは、ボルト等の部材によりフロントロック３１がレシーバー２０または玩具銃８に固定され、或いは同時にレシーバー２０及び玩具銃８に固定される。リアロック３２の前端には玩具銃８のグリップを収容するための溝部を有し、後端にはレシーバー２０の後側を収容するための溝部を有している。リアロック３２の一端は玩具銃８のグリップに連結され、他端はレシーバー２０に連結され、レシーバー２０がリアロック３２により玩具銃８に固定されている。
【００３７】
また、レシーバー２０は弾丸装填チャネル２１及び弾丸受け溝２２を備えている。弾丸装填チャネル２１はガイド部１３に隣接している。本実施例では、まず弾丸９を弾倉４０に装入した後、弾倉４０を弾丸装填チャネル２１内に取り付ける。弾倉４０の上端には弾倉４０を弾丸受け溝２２に連通するための開口部を有している。即ち、弾倉４０内部の弾丸９は上端の開口部を経て弾丸受け溝２２に移動する。また、弾丸受け溝２２は弾丸装填チャネル２１に連通し、且つ弾丸受け溝２２は弾丸保持構造１１に対応し、例えば、弾丸保持構造１１及び弾丸受け溝２２は同じ水平に位置している（図２Ａ或いは図３Ｂ参照）。また、ガイド部１３は弾丸保持構造１１の一側に隣接している。本実施例のガイド部１３は弾丸保持構造１１の下側に隣接していると共にレシーバー２０の弾丸装填チャネル２１の上側に位置し、ガイド部１３の構造により弾倉４０内の弾丸９の装填を補助する。また、図２Ａに示すように、本実施例の弾倉４０内部にはばね４１を備え、弾丸９を弾倉４０に装入した後、ばね４１が圧縮される。最上方の弾丸９を装填（弾丸受け溝２２まで移動）した後、ばね４１が残りの弾丸９を上に向けて押す。
【００３８】
一般的には、射撃の動力源が異なるため、少なくとも最初の射撃前にユーザー（操作者）はまずボルトキャリア１０と可動要素８１を共に後に引いて弾丸９を装填する。本実施例では、レシーバー２０がレシーバー２０に移動可能に設置されていると共にボルトキャリア１０に連結されているハンドル２３をさらに備えている。図１と図２Ａに示すように、ボルトキャリア１０の上面には凸部１４を有し、本実施例のハンドル２３は溝部２３１及び操作部２３２を有し、凸部１４は溝部２３１内に収容されている。また、レシーバー２０は中空チャンネル２４をさらに備え、ハンドル２３の溝部２３１は中空チャンネル２４に内設され、操作部２３２は中空チャンネル２４の外側に位置している。ユーザーがハンドル２３を操作して中空チャンネル２４内で移動させ、溝部２３１を凸部１４に当接させることにより、ボルトキャリア１０が移動するように駆動される。他の実施例では、ボルトキャリア１０にハンドルを直接設置し、且つレシーバー２０を貫通させることで、ハンドルを操作して可動要素８１の作動を制御する効果を達成している。
【００３９】
好ましくは、本実施例に係るレシーバー２０はモデルライフル（玩具銃）であり、レシーバー２０には２つのばね２７１、２７２を含むばねセット２７が設置されている。ばね２７１の一端はレシーバー２０のケースに連結され、他端はハンドル２３に連結され、ハンドル２３に復位機能を提供している。ばね２７２の一端はレシーバー２０のケースに連結され、他端はボルトキャリア１０に連結され、ボルトキャリア１０に復位機能を提供している。即ち、ばね２７２によりボルトキャリア１０の前進運動を補助し、弾丸９の装填動作をさらにスムーズにしている。
【００４０】
具体的には、ユーザーが操作部２３２を後に引っ張ると、玩具銃８の可動要素８１が駆動されて後端に向けて移動する。次いで、ユーザーが手を放すと、図３Ａに示すように、ばね２７１によりハンドル２３が元の位置に弾性により復位し、玩具銃８の可動要素８１（即ち、スライド）がボルトキャリア１０の後端に位置し、弾丸９が弾丸受け溝２２の方向に移動するための空間を有し、継続して弾丸９の装填動作を完了させる。次いで、玩具銃８自体のスプリングボルト及びレシーバー２０のばね２７２により、可動要素８１が前方に移動するように駆動され、一般的な装填動作を達成する。図３Ａと図３Ｂに示すように、ボルトキャリア１０は玩具銃８の可動要素８１により弾倉４０の方向（前方）に移動するように駆動され、この際、ガイド部１３が複数の弾丸９のうちの１つをガイドし、最上方に位置している弾丸９がガイド部１３により押動されて弾丸受け溝２２に移動し、且つ弾丸保持構造１１の一端が弾丸９を挟持し、弾丸９の装填動作が完了する。
【００４１】
本実施例では、ガイド部１３はスライドスロープ構造であり、好ましくは、弾丸装填チャネル２１は弾丸装填チャネル２１の上縁に位置していると共に弾丸受け溝２２に連接されている円弧面２１１を有している。具体的には、円弧面２１１の上縁は弾丸受け溝２２に連接され、最上方の弾丸９（複数の弾丸９のうちの１つ）は円弧面２１１の下縁に位置している。ボルトキャリア１０が弾倉４０の方向に移動すると、ガイド部１３の底部が最上方に位置している弾丸９を弾丸受け溝２２の方向へ押し、弾丸９がガイド部１３により押されて円弧面２１１の下縁から上縁の方向に移動し、弾丸９が傾斜角度を呈する（図３Ａ参照）。ボルトキャリア１０が持続的に弾倉４０の方向に移動し、弾丸９が円弧面２１１に沿って円弧面２１１の上縁に移動すると共に弾丸受け溝２２内に進入し、弾丸９が傾斜角度から水平角度に回復する（図３Ｂ参照）。弾丸受け溝２２と同じ水平に位置している弾丸保持構造１１が弾丸９をさらに挟持する。換言すれば、ガイド部１３及び円弧面２１１の構造により、弾丸９の装填を補助する効果を達成している。
【００４２】
図２Ｂと図３Ｃに示すように、好ましくは、本実施例の弾丸保持構造１１はフック１１１及びばね１１２を備えている。フック１１１は弾丸保持構造１１に連結され、ばね１１２はフック１１１及びボルトキャリア１０のケースに連結され、フック１１１が弾丸保持構造１１に対してわずかに移動し、フック１１１が内側に挟持するための力を提供する。薬莢９１は環状溝９１１を有し、フック１１１が薬莢９１の環状溝９１１に掛合することが好ましい。図３Ａと図３Ｂを併せて参照し、具体的には、ボルトキャリア１０が弾倉４０の方向に移動すると、ガイド部１３が弾丸９を弾丸受け溝２２の方向に押動する。次いで、弾丸保持構造１１が弾丸９に接触する。フック１１１が弾丸９に接触すると、フック１１１がばね１１２を圧縮すると共にわずかに外に向けて開き、内側に向けて薬莢９１の環状溝９１１に掛合する。
【００４３】
図４Ａ乃至図４Ｃを参照すれば、本実施例に係るレシーバー２０は弾丸受け溝２２に連通しているバレル２５をさらに備えている。また、通風ダクト１２の一端は銃口８２に連通し、他端は弾丸保持構造１１に内設され、且つ装填の弾丸９の薬莢９１に連通している。玩具銃８を射撃すると、充填物９２がレシーバー２０のバレル２５を経由して射出される（図４Ｂ参照）。詳しくは、ユーザーが玩具銃８を操作して射撃を行うと、玩具銃８内に圧力が発生してガスが排出され、ガスがボルトキャリア１０の通風ダクト１２を経由して弾丸保持構造１１の前端に位置している薬莢９１内に送入され、内部の充填物９２をレシーバー２０の外側に排出する。他の実施例では、弾丸９がＢＢ弾またはソフト弾等である場合、弾丸９が直接射出されるが、本考案はこれに限られない。また、射撃後に玩具銃８の可動要素８１が反動により後方に移動し、ボルトキャリア１０が後方に移動するように駆動される（図４Ｃ参照）。本実施例の通風ダクト１２は可撓性管体であるため、可動要素８１が後方に移動すると、弾丸保持構造１１と銃口８２との距離が短縮する。
【００４４】
図５Ａと図５Ｂは図４Ｃに示すレシーバー組立部材が薬莢を排出しているときの状態を示す概略拡大図である。図５Ｃは図５Ａに示すボルトキャリアの前端、弾丸保持構造、フック及び排出用凸部を示す概略分解図である。図５Ｄは図５Ｃに示す各部材が組み立てられたて薬莢を排出しているときの概略図である。図５Ａ乃至図５Ｃに示すように、弾丸９内部の充填物９２が射出されると（レシーバー２０の外側に排出される）、薬莢９１が弾丸保持構造１１により挟持される。好ましくは、レシーバー２０は弾丸装填チャネル２１に隣接していると共に弾丸保持構造１１の移動経路に位置している排出用凸部２６を備えている。本実施例の排出用凸部２６はレシーバー２０に設置され、不動に固定される部材である。即ち、排出用凸部２６はボルトキャリア１０に追随して移動しない。
【００４５】
玩具銃８の射撃動作後、可動要素８１が反動により後方に移動し、且つボルトキャリア１０が後方に移動するように駆動される。この際、弾丸保持構造１１が薬莢９１を挟持して後方に移動し（即ち、弾倉４０から離れる方向に移動する）、排出用凸部２６を経由すると、排出用凸部２６が薬莢９１に突き当てられ、薬莢９１が排出される。この際、フック１１１が弾丸保持構造１１に枢着されているため、フック１１１が弾丸保持構造１１に対して回転する。即ち、フック１１１が弾丸保持構造１１に対して外に向けて偏移し、薬莢９１が弾丸保持構造１１から脱離し、ケース排出動作が完了する（図４Ｃと図５Ｂ参照）。換言すれば、ボルトキャリア１０が後方に移動して薬莢９１が排出用凸部２６により圧搾されてフック１１１を押すと、フック１１１が外に向けて偏移する（即ち、外に向けて回転して開く）。同時に、弾丸９（薬莢９１）が弾丸保持構造１１から脱離すると共に外に向けて排出される。フック１１１が弾丸保持構造１１に対して外に向けて偏移した後、ばね１１２（図３Ｃ参照）がフック１１１に回復力を提供し、フック１１１が原位置を回復し、次の弾丸９の薬莢９１に掛合して挟持する。
【００４６】
好ましくは、弾丸保持構造１１が凹部１５をさらに備え、且つ凹部１５の幅は排出用凸部２６の厚さよりやや大きい。弾丸保持構造１１が排出用凸部２６を経由すると、排出用凸部２６が凹部１５を貫通して薬莢９１に突き当てられ、フック１１１が弾丸保持構造１１に対して外に向けて偏移して薬莢９１に対する拘束を解除し、薬莢９１を外に排出し、弾丸保持構造１１から脱離させる。
【００４７】
弾丸９（薬莢９１）が外に排出された後、弾倉４０の底端に位置しているばね４１（図２Ａ参照）が弾丸９を上に向けて押動する。同時に、前述のように、ばね２７２が可動要素８１を前方に移動するように駆動し、ガイド部１３が次の弾丸９（即ち、最上方に位置している弾丸９）を押す。弾丸９が丸受け溝２２に移動し、弾丸保持構造１１が弾丸９を挟持し、連続的な装填動作が完了する。
【００４８】
好ましくは、本実施例のボルトキャリア１０はボルトキャリア１０の弾丸保持構造１１とは反対にある一端に設置されている第一磁石１７をさらに備え（図１と図２Ａ参照）、即ち、ボルトキャリア１０の後端に設置されている。レシーバー２０はレシーバー２０の後端に設置されていると共に第一磁石１７に対応している第二磁石２８をさらに備えている（図２Ａ参照）。具体的には、第二磁石２８はレシーバー２０のボルトキャリア１０に覆設するための溝部内に設置されていると共に第二磁石２８の後端に位置している。玩具銃８を射撃した後、可動要素８１が反動により後方に移動し、ボルトキャリア１０が後方に移動するように駆動される（図３Ａ参照）。この際、第一磁石１７が第二磁石２８に接近するほど、磁力吸引原理によりボルトキャリア１０が後方に衝突する運動エネルギーが増加し、ユーザーが体感する反動も増加する。
【００４９】
好ましくは、第一磁石１７及び第二磁石２８の設置方向は非平行し、例えば、本実施例の第一磁石１７はボルトキャリア１０の後端の上方に設置され、第二磁石２８が第一磁石１７に対し垂直になる。この設置により第一磁石１７及び第二磁石２８の距離が最接近した際にも全面的に直接相互に吸引することがなくなる。即ち、第二磁石２８の右面（面積が大きい）が第一磁石１７の左端面（面積が小さい）に対応する。この設計により第一磁石１７と第二磁石２８との間の吸引力が小さくなり、ボルトキャリア１０がばね２７２（復位ばね）により原位置まで引き戻され、ボルトキャリア１０の原位置への回帰をスムーズに完了する。他の本実施例では、磁力が弱い第一磁石１７及び第二磁石２８が設置されているが、効果は同じであり、本考案はこれに限られない。
【００５０】
図６Ａと図６Ｂは本考案の第２実施形態によるボルトキャリア１０ａが玩具銃に適用される部分断面概略図である。本実施例では、玩具銃８ａは電動ガンを例とし、内部にはピストンを有している。換言すれば、可動要素８１ａはピストンである。対応するようにボルトキャリア１０ａが接合部１６ａを有し、接合部１６ａの一端はボルトキャリア１０ａの後端の内壁に連結され、他端は玩具銃８ａ内部のチャンバーに貫入していると共に可動要素８１ａに内設されている。即ち、可動要素８１ａが接合部１６ａに覆設されることで、接合部１６ａが可動要素８１ａに連結する（即ち、ピストン）。
【００５１】
同様に、第一実施例に係るレシーバー２０がボルトキャリア１０ａの外側に覆設された後、レシーバー組立部材が構成される。レシーバー２０の組み立ては第一実施例を参照し、ここでは、その説明を省略する。
【００５２】
図７Ａと図７Ｂは本考案の第３実施形態によるボルトキャリア１０ｂが玩具銃に適用される部分断面概略図である。第二実施例と同じく、玩具銃８ａは電動ガンを例とし、内部にピストンを有している（可動要素８１ａ）。第二実施例との差異は、ボルトキャリア１０ｂの接合部１６ｂの設置位置である。本実施例の接合部１６ｂはボルトキャリア１０ｂの中央箇所の内壁に設置され、下方に延伸するように玩具銃８ａのチャンバーに貫入し、接合部１６ｂを可動要素８１ａ（ピストン）に連結している。同様に、第一実施例に係るレシーバー２０がボルトキャリア１０ｂの外側に覆設された後、レシーバー組立部材が構成され、他の細部については第一実施例を参照し、ここでは、その説明を省略する。
【００５３】
以上を総合すると、本考案のレシーバー組立部材はボルトキャリア及びレシーバーを備え、レシーバーはボルトキャリアの外側に覆設されていると共に玩具銃に固定されている。ボルトキャリアは玩具銃の可動要素（スライドまたはピストン）に連結され、ボルトキャリアが可動要素の往復運動に追随して弾丸を装填し、或いは弾丸を射出する。具体的には、ボルトキャリアが可動要素により駆動されて、まず後方に移動した後に前方に移動すると、弾丸が弾丸保持構造のガイド部により弾丸受け溝まで押動され、装填動作が完了する。玩具銃を射撃すると、内部で発生するガスが弾丸受け溝の方向に排出され、弾丸の射撃動作が完了する。このように、本考案のレシーバー組立部材を玩具銃に適用することで、一般的な大型銃本体（例えば、ライフル）に弾丸を装填し、或いは弾丸を射撃する等の動作を行えるようになる。
【００５４】
また、本考案のボルトキャリアは弾丸保持構造により薬莢を挟持する。弾丸保持構造のフックが薬莢の環状溝に掛合し、且つ弾丸保持構造に対して外に向けて偏移することで薬莢が弾丸保持構造から脱離し、ケース排出効果を達成している。
【００５５】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００５６】
１  レシーバー組立部材
１０  ボルトキャリア
１０ａ  ボルトキャリア
１０ｂ  ボルトキャリア
１１  弾丸保持構造
１１１  フック
１１２  ばね
１２  通風ダクト
１３  ガイド部
１４  凸部
１５  凹部
１６ａ  接合部
１６ｂ  接合部
１７  第一磁石
２０  レシーバー
２１  弾丸装填チャネル
２１１  円弧面
２２  弾丸受け溝
２３  ハンドル
２３１  溝部
２３２  操作部
２４  中空チャンネル
２５  バレル
２６  排出用凸部
２７  ばねセット
２７１  ばね
２７２  ばね
２８  第二磁石
３０  ロック部材
３１  フロントロック
３２  リアロック
４０  弾倉
４１  ばね
８  玩具銃
８ａ  玩具銃
８１  可動要素
８１ａ  可動要素
８２  銃口
９  弾丸
９１  薬莢
９１１  環状溝
９２  充填物
【図１】
0003233089.tif 000003
【図２Ａ】
0003233089.tif 000004
【図２Ｂ】
0003233089.tif 000005
【図３Ａ】
0003233089.tif 000006
【図３Ｂ】
0003233089.tif 000007
【図３Ｃ】
0003233089.tif 000008
【図４Ａ】
0003233089.tif 000009
【図４Ｂ】
0003233089.tif 000010
【図４Ｃ】
0003233089.tif 000011
【図５Ａ】
0003233089.tif 000012
【図５Ｂ】
0003233089.tif 000013
【図５Ｃ】
0003233089.tif 000014
【図５Ｄ】
0003233089.tif 000015
【図６Ａ】
0003233089.tif 000016
【図６Ｂ】
0003233089.tif 000017
【図７Ａ】
0003233089.tif 000018
【図７Ｂ】
0003233089.tif 000019